(57)【要約】【課題】パチンコ球の流通を常に確実に阻止できるパチンコ球通路開閉装置を提供する。【解決手段】電磁ソレノイド５の作動により球通路１の底面に対して常に平行状態を保って押圧板１３が上下動するように該押圧板を球通路内に支持し、押圧板を下動させ該球通路内のパチンコ球を底面１４に押さえ付けることによりパチンコ球の流通が阻止されるようにした。上記押圧板は平行リンク１１ａ，１１ｂを介して支持する。上記押圧板の下面には弾性パッド２２を貼付する。また、上記押圧板を下方に付勢するバネ１７を設けるとともに、上記電磁ソレノイドを作動することにより該バネの弾性に抗して押圧板１３が上動し球通路が開かれるようにする。【選択図】図１
2005074165.tif 000002
【特許請求の範囲】
【請求項１】
電動アクチュエータの作動により球通路の底面に対して常に平行状態を保って押圧板が上下動するように該押圧板を球通路内に支持し、押圧板を下動させ該球通路内のパチンコ球を底面に押さえ付けることによりパチンコ球の流通が阻止されるようにしたことを特徴とするパチンコ球通路開閉装置。
【請求項２】
平行リンクを介して押圧板を支持することにより、該押圧板が球通路の底面に対して常に平行状態を保って上下動するようにした請求項１に記載のパチンコ球通路開閉装置。
【請求項３】
押圧板の下面に弾性パッドを貼付した請求項１または２に記載のパチンコ球通路開閉装置。
【請求項４】
押圧板を下方に付勢するバネを設けるとともに、電動アクチュエータを作動することにより該バネの弾性に抗して押圧板が上動し球通路が開かれるようにした請求項１〜３のいずれかに記載のパチンコ球通路開閉装置。
【請求項５】
電動アクチュエータは電磁ソレノイドである請求項１〜４のいずれかに記載のパチンコ球通路開閉装置。
【発明の詳細な説明】
【技術分野】
【０００１】
本発明は、パチンコ遊技場の島台に設けられたパチンコ球通路に設けられ、パチンコ球の移動を制御するパチンコ球通路開閉装置の構造に関するものである。
【背景技術】
【０００２】
パチンコ遊技場において、例えば、遊技機設置島間でパチンコ球を行き来させるべくそのパチンコ球通路（樋）に従来から設けられている開閉装置は、いわゆるギロチンのようにシャッター板を上下動させパチンコ球の流通を遮断する構造であった。
【０００３】
なお下記特許文献１，２は、遊技場における複数の遊技機設置島間にパチンコ球通路を設け、上記開閉装置を制御することによりパチンコ球を移動させ各遊技機設置島のパチンコ球保有量を平均化させる発明を開示するものである。
【特許文献１】実用新案登録第２５２９６０８号公報
【特許文献２】特許第２７５３５０６号公報
【発明の開示】
【発明が解決しようとする課題】
【０００４】
ところで上記構造の開閉装置では、通路にパチンコ球が滞留している状態でシャッター板が下降すると、その直下のパチンコ球を噛み込むこととなり、特にパチンコ球が通路に多数多段に滞留しているときは、シャッター板がそのために通路内に下降できず、閉止できなくなるおれがあった。
そこで本発明は、パチンコ球の流通を常に確実に阻止できるパチンコ球通路開閉装置を提供しようとするものである。
【課題を解決するための手段】
【０００５】
そのために本発明のパチンコ球通路開閉装置は、電動アクチュエータの作動により球通路の底面に対して常に平行状態を保って押圧板が上下動するように該押圧板を球通路内に支持し、押圧板を下動させ該球通路内のパチンコ球を底面に押さえ付けることによりパチンコ球の流通が阻止されるようにしたことを特徴とする。
【０００６】
また、本発明は上記パチンコ球通路開閉装置において、平行リンクを介して押圧板を支持することにより、該押圧板が球通路の底面に対して常に平行状態を保って上下動するようにしたことを特徴とする。
【０００７】
また、本発明は上記パチンコ球通路開閉装置において、押圧板の下面に弾性パッドを貼付したことを特徴とする。
【０００８】
また、本発明は上記パチンコ球通路開閉装置において、押圧板を下方に付勢するバネを設けるとともに、電動アクチュエータを作動することにより該バネの弾性に抗して押圧板が上動し球通路が開かれるようにしたことを特徴とする。
【０００９】
また、本発明は上記パチンコ球通路開閉装置において、電動アクチュエータは電磁ソレノイドであることを特徴とする。
【発明の効果】
【００１０】
押圧板が押平行状態を保って下動しパチンコ球を球通路底面に押さえ付けることから、球通路内のパチンコ球の停留状況に拘わりなく確実に通路を開閉できる。
【実施例１】
【００１１】
図１は本発明に係る開閉装置が設けられたパチンコ球通路の縦断面図、図２はその作動状態図、図３は平面図、図４は横断面図である。図中、１はパチンコ球２を自重で流落させるため矢印の方向に緩い傾斜状に支持されたパチンコ球通路である。
【００１２】
３は該球通路１の上方開口縁４に固着される長方形状の装置基板、５は該装置基板上に取付基板６を介して固着された電動アクチュエータたる電磁ソレノイドである。なお、装置基板３の両側縁に長孔７が形成され、該長孔に貫挿したボルト８の下端頭部を上端開口縁４の内側に留金８ａを係合させることにより止着し、該ボルトの上方突出部に螺合した蝶ナット９を締め付けることにより、該装置基板３を球通路１上に簡単に取り付けられるようにしている。
【００１３】
装置基板３の両端縁には蝶番１０ａ，１０ｂを介して平行リンク１１ａ，１１ｂが設けられ、該平行リンクの下端にはさらに蝶番１２ａ，１２ｂを介して押圧板１３が支持される。このため該押圧板１３は球通路１の底面１４に対して常に平行状態を保つように支持される。また、一方の平行リンク１１ａの上方突出端に設けられたピン１５と前記取付基板６の一端に突設された螺子１６との間にコイル状のバネ１７を張設するとともに、他方の平行リンク１１ｂの上方突出端に設けられたピン１８と電磁ソレノイド５の作動軸１９に設けられたピン２０とをコイル状のバネ２１により連結している。なお、押圧板１３の下面には弾性パッド２２が貼付されている。
【００１４】
このため、常態では図１に示したようにバネ１７により平行リンク１１ａ，１１ｂが起立方向に引っ張られ押圧板１３が下方に付勢されて下動することで、球通路１内のパチンコ球２を底面１４に押さえ付けることによりパチンコ球２の流通が阻止される。即ち、常態ではバネ１７の弾性により球通路１は閉止状態に保たれる。
【００１５】
また、電磁ソレノイド５を励磁し図２に示したように作動軸１９を牽引させバネ２１を介して平行リンク１１ｂを牽引させたときは、バネ１７の弾性に抗して押圧板１３が上動し該押圧板の下部空間をパチンコ球２が通過できるようになる。即ち、電磁ソレノイド５を励磁することにより押圧板１３が上動し球通路１が開かれる。
【００１６】
なお、弾性パッド２２は押圧板１３を下動させたとき球通路１内のパチンコ球２に弾性的に当接することから、球通路１内にランダムに位置している複数のパチンコ球を夫々確実に底面に押さえ付けその移動を停止させることができる。
【００１７】
このように押圧板１３は平行リンク１１ａ，１１ｂにより球通路１に支持され、電磁ソレノイド５の作動により該球通路１の底面１４と常に平行状態を保って上下動することから、球通路１内に多数のパチンコ球が滞留している場合でも、その上から押圧板１３が押し付けられることでそのパチンコ球の流通を確実に停止させることができる。或いは、球通路１内に滞留しているパチンコ球がない場合は、パチンコ球が通過する隙間がない高さまで押圧板１３が下動することによって該球通路が閉鎖される。
【００１８】
なおこの実施例では電動アクチュエータとして電磁ソレノイドを使用した例を示したが、モータ駆動により押圧板が上下動させる構造としてもよい。
【産業上の利用可能性】
【００１９】
本発明の開閉装置は、パチンコ遊技場におけるパチンコ球の移動通路を開閉させるのに広く適用することができる。
【図面の簡単な説明】
【００２０】
【図１】本発明の実施例を示すパチンコ球通路開閉装置の縦断面図。
【図２】図１の作動状態図。
【図３】本発明の実施例を示すパチンコ球通路開閉装置の平面図。
【図４】図３のＡ−Ａ線断面図。
【符号の説明】
【００２１】
１                パチンコ球通路
２                パチンコ球
３                装置基板
５                電動アクチュエータ（電磁ソレノイド）
１０ａ，１０ｂ    蝶番
１１ａ，１１ｂ    平行リンク
１２ａ，１２ｂ    蝶番
１３              押圧板
１４              底面
１７              バネ
２２              弾性パッド
【図１】
2005074165.tif 000003
【図２】
2005074165.tif 000004
【図３】
2005074165.tif 000005
【図４】
2005074165.tif 000006